(57)【要約】【課題】サイドガイドの操作性を低下させることなく、サイドガイドのガタつきに起因する用紙の斜行を防止することが可能なガイド装置を提供する。【解決手段】メイントレイ６１は、トレイの幅方向へスライド可能なサイドガイド７５，７６を備える。サイドガイド７５，７６それぞれにラック部材１２０，１２２が設けられており、ピニオン１２８と噛合することで、サイドガイド７５，７６は相反する方向へ連動する。メイントレイ６１の裏面にはスライドガイド１３０，１３１が設けられており、ラック部材１２０，１２２をトレイの幅方向へ案内する。ラック部材１２２とスライドガイド１３１との間にガイド片１３６が設けられている。サイドガイド７６がピニオン１２８側へスライドすると、ラック部材１２２がガイド片１３６に乗り上げる。これにより、ラック部材１２２が給送方向上流側へ付勢される。【選択図】図１５
2008290852.tif 000002
【特許請求の範囲】
【請求項１】
シート部材が載置されるトレイに設けられ、シート部材が給送される第１方向へ該シート部材を案内する一対のサイドガイドと、
上記一対のサイドガイドそれぞれを上記第１方向と略直交する第２方向へスライド可能に支持するスライド機構と、
上記トレイに回転可能に設けられ、上記一対のサイドガイド間に配置されたピニオンと、
上記一対のサイドガイドそれぞれに連結され、上記サイドガイドから上記トレイの上記第２方向中央側へ向けて延出され、上記ピニオンと噛合するラックを有するラック部材と、
上記トレイに設けられ、上記一対のサイドガイドのスライドに伴って移動する上記ラック部材を上記第２方向へ案内するスライドガイドと、
上記ラック部材と上記スライドガイドとの間に介設され、上記サイドガイドが上記ピニオンから最も離反した第１位置よりも上記ピニオン側の所定位置にスライドされた際に、少なくともいずれか一方のサイドガイドに対応する上記ラック部材を上記第１方向の上流側若しくは下流側へ付勢する付勢部材と、
を具備するシート部材のガイド装置。
【請求項２】
上記所定位置は、上記サイドガイドが上記ピニオンに最も接近した第２位置である請求項１に記載のガイド装置。
【請求項３】
上記付勢部材は、上記スライドガイドのガイド面から上記ラック部材へ向けて突出している請求項１又は２に記載のガイド装置。
【請求項４】
上記付勢部材は、突出方向の頂部から上記スライドガイドのガイド面に渡る傾斜面を有する請求項３に記載のガイド装置。
【請求項５】
シート部材が載置されるトレイと、
上記トレイに載置されたシート部材を所定の第１方向へ給送する給送機構と、
上記トレイに設けられ、請求項１から４のいずれかに記載のガイド装置と、
を具備する画像記録装置。
【発明の詳細な説明】
【技術分野】
【０００１】
本発明は、トレイに載置されたシート部材を所定方向へ案内するガイド装置に関し、特に、シート部材が給送される際に、そのシート部材を所定方向へ確実に案内する一対のサイドガイドを有するガイド装置に関する。
【背景技術】
【０００２】
複写機、プリンタなどの画像記録装置においては、複数枚の原稿又は記録用紙を積載可能なトレイが備えられている。トレイに載置された原稿又は記録用紙は、一枚ずつ分離された後に画像読取が可能な位置や画像記録が可能な位置に給送され、画像読取や画像記録などの処理が施される。上記トレイには、載置された原稿又は記録用紙を給送方向へ案内するサイドガイドが設けられている。このサイドガイドは給送方向に沿った平面（ガイド面）を有する長い形状を備えている。このようなサイドガイドには、原稿や記録用紙の一側辺が当接される固定基準面に対して接離する方向に移動可能な、いわゆるサイドレジ型のサイドガイドと、それぞれが相対する方向へ移動可能な一対のサイドガイドからなる、いわゆるセンターレジ型のサイドガイドとがある。サイドレジ型のサイドガイドでは、固定基準面とサイドガイドのガイド面とが互いに対向するように配置されており、ガイド面には原稿や記録用紙の他の側辺が当接される。センターレジ型のサイドガイドでは、一対のサイドガイドの各ガイド面が互いに対向するように配置されており、原稿や記録用紙の両側辺が各ガイド面にそれぞれ当接される。上記サイドガイドは、トレイに載置された記録用紙の幅サイズに応じてその対向間隔を調整できるように、給送方向と直交する方向へスライド可能に構成されている。上記サイドガイドが設けられることで、給送時における記録用紙の斜行が改善される。
【０００３】
センターレジ型のサイドガイドにおいては、上記一対のサイドガイドそれぞれを連動してスライドさせる手法として、ラック・ピニオン式の連動機構が公知である（特許文献１参照）。この連動機構は、それぞれのサイドガイドから給送方向と直交する方向へ延出されたラックと、それぞれのラックに噛合可能なピニオンとにより構成されている。トレイには、２本のラックが内部で移動可能な溝又は２本のラックが内部で摺動可能な壁が設けられている。また、トレイには、ピニオンを回転可能に固定するための固定部が設けられている。従って、一対のサイドガイドとピニオンとがトレイに配設された状態で、一方のサイドガイドがスライドされると、ラックの直線運動によってピニオンが回転され、その回転力がピニオンから他方のラックへ直線運動として伝達される。その結果、他方のサイドガイドは一方のサイドガイドと連動してスライドする。
【０００４】
【特許文献１】特開２０００−２５９６３号公報
【発明の開示】
【発明が解決しようとする課題】
【０００５】
上述の如く構成された従来のサイドガイドでは、サイドガイドの操作性を図るべく、スライド支持部（上述の溝又は壁）とラックとの間、或いは、ラックとピニオンとの間に隙間が設けられている。そのため、サイドガイドのスライド動作が円滑となり、サイドガイドを容易にスライドさせることが可能となる。
【０００６】
しかしながら、スライド支持部やラック、ピニオンに設けられた上述の隙間は、サイドガイドをガタつかせる要因にもなる。サイドガイドにガタが生じると、サイドガイドが記録用紙の給送方向に対して傾くおそれがある。サイドガイドが傾くと、記録用紙が給送方向に対して傾けられた状態で給送されることになる。言い換えれば、記録用紙が給送方向に対して斜行する。比較的大きなサイズの定形紙、例えばＡ４サイズやＢ５サイズ、或いはこれら以上のサイズの原稿や記録用紙を搬送する場合には、サイドガイドとピニオンとの間隔が広くなる。このとき、サイドガイドに設けられているラックの一端部側で溝又は壁に当接する第１当接部と、ラックの他端部側でピニオンに当接する第２当接部との離間距離が長くなる。しかし、比較的小さなサイズの定形紙、例えば葉書サイズやＬ版サイズの原稿や記録用紙を搬送する場合には、サイドガイドとピニオンとの間隔が狭められる。このとき、ラックの一端部側で溝又は壁に当接する第１当接部と、ラックの他端部側でピニオンに当接する第２当接部との離間距離が短くなる。どのようなサイズの定形紙を搬送する場合であっても、ラックにおける第１当接部と反対側の部位と上述の溝又は壁との間にできる隙間はほぼ同一であるが、搬送される定形紙に応じてサイドガイドのガタが変化する。すなわち、搬送される定形紙に応じて第１当接部と第２当接部との距離が異なるため、比較的大きなサイズの定形紙を搬送する場合にはサイドガイドのガタは低減され、比較的小さなサイズの定形紙を搬送する場合にはサイドガイドのガタが大きくなり、原稿や記録用紙の斜行が助長される。原稿や記録用紙の斜行は、読取画像や記録される画像の乱れや位置のズレなどを引き起こすため好ましくない。
【０００７】
一方、スライド支持部やラック、ピニオンの隙間を小さくすればサイドガイドのガタは小さくなり、用紙の斜行の度合いを低減することができるが、スライド支持部の摺動抵抗やラック・ピニオンの噛合時の抵抗によってサイドガイドの操作性が低下する。
【０００８】
本発明は上記事情に鑑みてなされたものであり、その目的とするところは、サイドガイドの操作性を大きく低下させることなく、サイドガイドのガタつきに起因する用紙の斜行の傾斜度合いを低減することが可能なガイド装置および画像記録装置を提供することにある。
【課題を解決するための手段】
【０００９】
(1)  本発明は、一対のサイドガイドと、スライド機構と、ピニオンと、ラック部材と、スライドガイドと、付勢部材とを具備するガイド装置として構成されている。一対のサイドガイドは、シート部材が載置されるトレイに設けられている。このサイドガイドは、シート部材が給送される第１方向へ該シート部材を案内する。スライド機構は、上記一対のサイドガイドそれぞれを上記第１方向と略直交する第２方向へスライド可能に支持する。ピニオンは、上記トレイに回転可能に設けられており、上記一対のサイドガイド間に配置されている。ラック部材は、上記一対のサイドガイドそれぞれに連結され、上記サイドガイドから上記トレイの上記第２方向中央側へ向けて延出されている。このラック部材は、上記ピニオンと噛合するラックを有する。スライドガイドは、上記トレイに設けられており、上記一対のサイドガイドのスライドに伴って移動する上記ラック部材を上記第２方向へ案内する。付勢部材は、上記ラック部材と上記スライドガイドとの間に介設され、上記サイドガイドが上記ピニオンから最も離反した第１位置よりも上記ピニオン側の所定位置にスライドされた際に、少なくともいずれか一方のサイドガイドに対応する上記ラック部材を上記第１方向の上流側若しくは下流側へ付勢する。
【００１０】
インクジェットプリンタなどの画像記録装置においては、シート部材の給送中に該シート部材が斜行する場合がある。この斜行を防止するべく、トレイの載置面にサイドガイドが設けられている。サイドガイドは、スライド機構によって、第１方向と略直交する第２方向へスライド可能である。一対のサイドガイドそれぞれにラック部材が連結されており、各ラック部材は、ピニオンと噛み合わされている。したがって、一方のサイドガイドが所定方向へスライドすると、それに連動して他方のサイドガイドが反対方向へスライドする。サイドガイドのスライドに伴ってラック部材もスライドする。このラック部材は、スライドガイドによって第１方向へ案内される。
【００１１】
一対のサイドガイドで囲まれた領域にシート部材が載置される。サイドガイドがシート部材の側端に近づく方向へスライドされて、シート部材の側端にサイドガイドが当接すると、シート部材の側端がサイドガイドによって規制される。この状態でシート部材が第１方向へ給送されると、シート部材がサイドガイドによって第１方向へ案内される。
【００１２】
サイドガイドがシート部材の側端に近づく方向へスライドされた際に所定位置に達すると、付勢部材は上記ラック部材を第１方向（シート部材の給送方向）の上流側若しくは下流側へ付勢する。これにより、ラック部材及び該ラック部材が連結されたサイドガイドのガタつきが解消され、ひいては、上記所定位置における上記サイドガイドのガタつきを起因とするシート部材の斜行が低減する。
【００１３】
(2)  上記所定位置は、上記サイドガイドが上記ピニオンに最も接近した第２位置である。
【００１４】
サイドガイドの位置に拘わらず付勢部材でラック部材を第１方向へ付勢してサイドガイドのガタを無くしてしまうと、第２方向へのサイドガイドのスライド移動が妨げられ、サイドガイドの操作性が著しく低下する。一方、サイドガイドのガタは、該サイドガイドが第２位置に最も接近した場合、つまり、サイドガイドとピニオンとの間隔が最も小さくなった場合に最大となる。この場合に、シート部材の斜行が最大となる。したがって、シート部材の斜行防止とサイドガイドの操作性向上の双方の効果をバランスよく得るための条件として、上記サイドガイドが上記ピニオンに最も接近した第２位置を上記所定位置とすることが好ましい。
(3)  上記付勢部材は、上記スライドガイドのガイド面から上記ラック部材へ向けて突出している。
【００１５】
この構成によれば、スライドガイドが所定位置までスライドされると、ラック部材が付勢部材に乗り上げられる。その結果、ラック部材が付勢部材によって該付勢部材の突出方向、つまり、上記第１方向へ付勢される。
【００１６】
(4)  この場合、上記付勢部材は、突出方向の頂部から上記スライドガイドのガイド面に渡る傾斜面を有することが好ましい。これにより、ラック部材が付勢部材の突出方向の頂部へ容易に案内される。
【００１７】
(5)  本発明は、シート部材が載置されるトレイと、上記トレイに載置されたシート部材を所定の第１方向へ給送する給送機構と、上記トレイに設けられた上述のガイド装置とを具備する画像記録装置として捉えることも可能である。
【発明の効果】
【００１８】
本発明によれば、サイドガイドが所定位置にスライドされた際に該サイドガイドのガタつきを小さくすることができる。これにより、サイドガイドの操作性を大きく低下させることなく、サイドガイドのガタつきに起因する用紙の斜行を防止することができる。
【発明を実施するための最良の形態】
【００１９】
以下、適宜図面を参照して本発明の実施形態について説明する。なお、以下に説明される実施形態は本発明の一例にすぎず、本発明の要旨を変更しない範囲で、本発明の実施形態を適宜変更できることは言うまでもない。
【００２０】
図１は、本発明の画像記録装置の一例である複合機１の外観構成を示す斜視図である。複合機１は、プリント部２とスキャン部３とを一体的に備えた多機能装置（ＭＦＤ：Multi Function Device）であり、プリント機能、スキャン機能、コピー機能、ファクシミリ機能等の各種機能を有する。なお、本発明は複数の機能を有する複合機１のみならず、少なくともプリント機能を有する画像記録装置に適用可能である。
【００２１】
図１に示されるように、複合機１は、高さより横幅及び奥行きが大きい幅広薄型の概ね直方体の外形を呈する。複合機１の上部がスキャン部３である。スキャン部３は、所謂フラットベッドスキャナとして構成されている。同図に示されるように、複合機１の天板として原稿カバー５が開閉自在に設けられている。原稿カバー５の下側の本体内部に、図示されていないプラテンガラス及びイメージセンサが設けられている。プラテンガラスに載置された原稿の画像は、イメージセンサによって読み取られる。なお、本発明を実現するうえで、スキャン部３は任意の構成であるため、ここでは詳細な説明は省略する。
【００２２】
複合機１の下部がプリント部２である。プリント部２は、スキャン部３で読み取られた画像データや外部から入力された記録データに基づいて、記録用紙に画像や文書を記録する。プリント部２に、用紙カセット７が設けられている。用紙カセット７に収容された記録用紙（本発明のシート部材の一例）は、給紙装置６（図２参照）によってプリント部２の内部へ給送される。プリント部２には、画像記録を行う画像記録ユニット２４（図２参照）が設けられている。画像記録ユニット２４によって、用紙カセット７から搬送された記録用紙に所望の画像が記録される。なお、プリント部２やスキャン部３は、複合機１の正面上部に設けられた操作パネル４から入力された指示信号や、外部装置からプリンタードライバ又はスキャナードライバを用いて送信された指示信号に基づいて動作する。
【００２３】
以下、図１から図３を参照して、プリント部２及び給紙装置６の構成の概略について説明する。ここに、図２は、複合機１のプリント部２の内部構成を示す縦断面図である。図３は、給紙装置６の構成を模式的に示す模式断面図である。なお、図２では、複合機１の筐体及びスキャン部３の表示が省略されている。
【００２４】
図２に示されるように、プリント部２に給紙装置６が搭載されている。給紙装置６は、大別して、用紙カセット７と給紙機構３３（本発明の給送機構の一例）とを備える。
【００２５】
プリント部２の正面に、開口１０が設けられている。この開口１０の内側に、用紙カセット７が配設されている。用紙カセット７は、開口１０からプリント部２の内部に着脱可能に構成されている。この用紙カセット７に複数の記録用紙が積層状態で収容される。なお、用紙カセット７の構成については後段で詳述する。
【００２６】
図２に示されるように、給紙機構３３は、給紙ローラ２５と、駆動伝達機構と、これらを支持するスイングアーム２７とを備えている。なお、駆動伝達機構はスイングアーム２７で隠されているため、図２には表されていない。用紙カセット７の上方に、装置の幅方向に渡って駆動軸２９が設けられている。この駆動軸２９は、複合機１の本体フレームに回転可能に支持されている。駆動軸２９の一端には、図示しないモータが連結されている。このモータが回転駆動されると、所定方向の回転駆動力（回転トルク）が駆動軸２９に伝達される。
【００２７】
図２及び図３に示されるように、スイングアーム２７は、駆動軸２９に揺動可能に支持されている。スイングアーム２７は、装置の幅方向（図２の紙面垂直方向）の中央付近において、駆動軸２９から装置背面側（図２の紙面左側）へ延出されている。スイングアーム２７の先端に給紙ローラ２５が回転可能に支持されている。具体的には、スイングアーム２７の先端に回動自在に回転軸２６が支持されており、この回転軸２６に給紙ローラ２５が固定されている。したがって、給紙ローラ２５は、用紙カセット７の上側において、用紙カセット７に収容された記録用紙に対して接触し、又は記録用紙から離反することが可能に支持されている。なお、図２及び図３では、給紙ローラ２５のローラ表面が用紙カセット７のシート載置面に当接した状態が示されている。
【００２８】
駆動軸２９に入力された回転駆動力は、駆動伝達機構を介して給紙ローラ２５に伝達される。給紙ローラ２５が記録用紙に当接した状態で上記回転駆動力が給紙ローラ２５に伝達されると、給紙ローラ２５によって最上位の記録用紙が取り出されて、後述の用紙搬送路２３へ給送される。
【００２９】
図２に示されるように、プリント部２には、記録用紙が搬送される用紙搬送路２３が形成されている。用紙搬送路２３は、用紙カセット７の給送方向下流側の端部（以下「先端」と称する。）から上方向、即ち、給紙ローラ２５が配設されている側の方向へ延設されている。具体的には、用紙搬送路２３は、用紙カセット７の先端から装置背面に沿って上方へ向かった後、湾曲状に形成された湾曲路１７を経て装置正面側（図２の紙面右側）へ延び、画像記録ユニット２４を経て装置正面の開口１０へ達している。したがって、給紙ローラ２５によって用紙カセット７から用紙搬送路２３に給送された記録用紙は、用紙搬送路２３によって下方から上方へＵターンするように案内されて画像記録ユニット２４に至り、画像記録ユニット２４によって画像記録が行われた後に、開口１０側へ排出される。
【００３０】
用紙搬送路２３は、画像記録ユニット２４が配設されている箇所以外は、所定間隔で対向する外側ガイド面と内側ガイド面とから構成されている。例えば、複合機１の背面側の用紙搬送路２３の湾曲路１７は、外側ガイド部材１８と内側ガイド部材１９とが装置フレームに固定されることにより構成されている。
【００３１】
用紙搬送路２３において、湾曲路１７の終端よりも搬送方向下流側にプラテン４２が設けられている。このプラテン４２の上側に画像記録ユニット２４が設けられている。画像記録ユニット２４は、キャリッジ３８を備えている。キャリッジ３８は、インクジェット記録ヘッド３９を搭載している。記録用紙の搬送方向と直交する主走査方向（図２の紙面垂直方向）にガイドレール４３，４４が延設されている。キャリッジ３８は、ガイドレール４３，４４に、上記主走査方向へ往復動可能に支持されている。キャリッジ３８が往復動する間に、インクジェット記録ヘッド３９から各色インクが微小なインク滴として選択的に吐出される。これにより、プラテン４２上を搬送方向へ移動する記録用紙に画像が記録される。
【００３２】
図２に示されるように、画像記録ユニット２４の搬送方向上流側には、駆動ローラ４５及びピンチローラ４６（図３参照）からなる一対の搬送ローラ対４７が設けられている。なお、図２にはピンチローラ４６は表されていない。図３に示されるように、ピンチローラ４６は、駆動ローラ４５の下側で、駆動ローラ４５に対して圧接された状態で配置されている。画像記録ユニット２４の搬送方向下流側には、駆動ローラ４８および拍車ローラ４９からなる一対の排出ローラ対５０が設けられている。排出ローラ対５０は、記録済みの記録用紙を狭持しつつ開口１０（図１参照）側へ向けて該記録用紙を搬送する。駆動ローラ４５及び駆動ローラ４８は、不図示のモータによって回転駆動される。
【００３３】
記録用紙は、以下のようにして給紙・搬送される。
まず、図３（Ａ）に示されるように、上記モータによって、給紙ローラ２５が搬送方向（図３（Ａ）では時計方向）に回転される。これにより、給紙カセット７に収容された記録用紙は給紙ローラ２５によって用紙搬送路２３へ給送される。このとき、駆動ローラ４５は、上記モータによって、記録用紙の搬送方向とは逆方向（図３（Ａ）では時計方向）に回転される。用紙搬送路２３を通って搬送ローラ対４７に到達した記録用紙は、駆動ローラ４５が搬送方向とは逆方向に回転しているので、搬送方向先端が搬送ローラ対４７のニップ部に突き当てられた状態で一旦停止される。このとき、記録用紙の先端が揃えられ、記録用紙の斜行が補正される。このように、搬送ローラ対４７において記録用紙の先端を揃える動作はレジスト動作と呼ばれている。
【００３４】
上記レジスト動作後は、図３（Ｂ）に示されるように、駆動ローラ４５が記録用紙の搬送方向（図３（Ｂ）では反時計方向）へ回転駆動される。これにより、搬送ローラ対４７によって記録用紙が狭持されつつ搬送される。一方、給紙ローラ２５は記録用紙の後端を狭持した状態で停止される。給紙ローラ２５には図示しないワンウェイクラッチが設けられており、記録用紙の後端は駆動ローラ４５の搬送力によって容易に抜き出される。
【００３５】
続いて、搬送ローラ対４７によって記録用紙が所定量搬送されて、記録用紙の先端をプラテン４２上の所定位置まで移動させる動作（以下「頭出し動作」と称する。）が行われる。そして、この頭出し動作後に、記録用紙に対する画像記録が開始される。画像記録の際には、駆動ローラ４５が搬送方向へ間欠的に回転駆動され、記録用紙が間欠的に搬送される。搬送が一時停止している間に、インクジェット記録ヘッド３９から記録用紙へインクが吐出されて、記録用紙に画像が記録される。記録済みの記録用紙は、排出ローラ対５０によって開口１０（図１参照）側へ向けて搬送される。
【００３６】
なお、１枚の記録用紙に対して画像記録が終了すると、上述した記録用紙の給紙・搬送動作から記録用紙の排出動作までの一連の動作が次順の記録用紙に対して繰り返される。これにより、複数枚の記録用紙の画像記録が実現する。
【００３７】
次に、図４から図１１を参照して、用紙カセット７の概略構成について説明する。ここに、図４から図６は、用紙カセット７の外観構成を示す斜視図である。図７は、メイントレイ６１の平面図、図８及び図９は、メイントレイ６１の表面側の構成を示す斜視図、図１０及び図１１は、メイントレイ６１の裏面側の構成を示す斜視図である。図８及び図１０には、サイドガイド７５，７６の間隔が最も広げられた状態が示されており、図９及び図１１は、サイドガイド７５，７６の間隔が最も狭められた状態が示されている。なお、図中の矢印５５は、記録用紙が用紙カセット７から用紙搬送路２３へ向けて給送される方向（給送方向）を示す。
【００３８】
図４から図６に示されるように、用紙カセット７は、本発明のトレイの一例であるメイントレイ６１及びセカンドトレイ６２を具備する。メイントレイ６１及びセカンドトレイ６２は、開口１０（図１参照）の内側に、上下方向に段状に積み重ねられるようにして配設されている。本実施形態では、下段にメイントレイ６１が配設され、上段にセカンドトレイ６２が配設されている。
【００３９】
メイントレイ６１は、図７から図１１に示されるように、平面視で矢印５５の給送方向に長い矩形の皿状に概ね形成されている。本実施形態では、メイントレイ６１は、レターサイズ、ＪＩＳ規格で定められたＡ４サイズやＢ５サイズ、ハガキサイズ、写真印刷用のＬ版サイズ（約８９×１２７ｍｍ）などの記録用紙を積層した状態で収容可能に構成されている。
【００４０】
メイントレイ６１は底板６４を有する。底板６４に記録用紙が載置される。メイントレイ６１の先端（給送方向下流側の端部）６５に傾斜板６７が設けられている。傾斜板６７は、メイントレイ６１の幅方向（給送方向に直交する方向）に長い板状部材からなる。傾斜板６７は、装置背面側へ傾倒している。したがって、メイントレイ６１に載置された記録用紙が給紙ローラ２５によって給送されると、記録用紙の先端が傾斜板６７の内側面６９に沿って斜め上方へ案内される。つまり、内側面６９は、記録用紙を用紙搬送路２３（図２参照）へ案内するガイド面の役割を担う。
【００４１】
内側面６９に分離部材７１が設けられている。分離部材７１は、内側面６９において傾斜板６７の長手方向の中央に配設されている。分離部材７１は、内側面６９から突出された複数の歯が傾斜板６７の傾斜方向に並んで配設されてなる。複数枚の記録用紙が重ねられた状態で給送されて、その用紙束の先端が内側面６９に当接すると、用紙束の先端が分離部材７１によって捌かれる。その際に、分離部材７１の歯が記録用紙と記録用紙との間に入り込み、記録用紙間に隙間ができる。これにより、記録用紙が分離されやすくなり、給送の際に給紙ローラ２５から記録用紙に付与された力と相俟って、最上層の記録用紙のみが下層の記録用紙から確実に分離される。
【００４２】
内側面６９には、二つの回転コロ７３が回転自在に設けられている。なお、図８及び図９では、回転コロ７３は図示されていない。回転コロ７３は、分離部材７１を挟むようにして傾斜板６７の長手方向に隔てて配設されている。回転コロ７３は、そのローラ面が内側面６９から露出するように設けられている。この回転コロ７３によって、内側面６９が記録用紙に与える搬送摩擦が低減される。
【００４３】
底板６４には、幅方向に沿って一対のガイド溝１２５，１２６が設けられている。ガイド溝１２５，１２６は、底板の幅方向に長い長方形状であって、底板６４を表面から裏面へ貫通した形状に形成されている。メイントレイ６１を給送方向上流側から見て右側にガイド溝１２５が設けられており、左側にガイド溝１２６が設けられている。ガイド溝１２５とガイド溝１２６とは、給紙方向に隔てられている。
【００４４】
図１０及び図１１に示されるように、底板６４の裏面の幅方向中央付近であって、ガイド溝１２５とガイド溝１２６との中間位置に、ピニオン１２８が設けられている。ピニオン１２８は、底板６４の裏面で回転可能に支持されている。このピニオン１２８に、後述するラック１２１，１２３が噛合する。
【００４５】
図７から図９に示されるように、底板６４の表面に、一対のサイドガイド７５，７６（本発明のサイドガイドの一例）が設けられている。サイドガイド７５，７６は、給送方向と略直交する方向（メイントレイ６１の幅方向）へスライド可能に支持されている。本実施形態では、サイドガイド７５は、ガイド溝１２５に沿ってスライド可能に支持されており、サイドガイド７６は、ガイド溝１２６に沿ってスライド可能に支持されている。サイドガイド７５，７６のスライド機構の詳細については後述する。なお、サイドガイド７５，７６、ピニオン１２８、及び、後述するスライド機構、ラック部材１２０，１２２、スライドガイドガイド１３０、ガイド片１３６によって、本発明のガイド装置が具現化される。
【００４６】
サイドガイド７５，７６は、メイントレイ６１に載置された記録用紙の幅方向端縁の位置を規制する部材である。具体的には、給紙カセット７に載置された記録用紙の幅方向の中央位置を予め定められた基準位置（本実施形態ではメイントレイ６１の幅方向の中央）に略一致させるように規制する。このように、記録用紙の幅方向の中央位置を基準位置に一致させるように記録用紙を規制することは、一般に、センターレジと呼ばれている。また、サイドガイド７５，７６は、記録用紙の給送時に該記録用紙を給送方向（矢印５５の方向、第１方向）へ案内するための部材でもある。サイドガイド７５，７６によって、給送時の記録用紙の斜行が抑えられる。なお、サイドガイド７５，７６については後段で詳細に説明する。
【００４７】
底板６４の表面に、複数のスリット１２７（図７等参照）が形成されている。各スリット１２７は、その長手方向が給送方向に一致するように形成されている。これらのスリット１２７は、メイントレイ６１の幅方向に並べられている。本実施形態では、図７に示されるように、複数のスリット１２７からなる２本のスリット群がガイド溝１２５の給送方向上流側に配置されている。このスリット１２７に後述するレバー１０８の爪が係合することにより、サイドガイド７５がメイントレイ６１に固定される。
【００４８】
底板６４には、給紙方向に細長い溝８０が形成されている。この溝８０は、メイントレイ６１の長手方向の略中央付近から後端（給送方向上流側の端部）８２まで延設されている。溝８０に沿ってスライド可能なように、リアガイド８４が設けられている。なお、図７では、リアガイド８４は図示されていない。リアガイド８４は、メイントレイ６１に収容された記録用紙の後端の位置を規制するためのものである。メイントレイ６１に記録用紙が載置された状態で、溝８０に沿ってリアガイド８４を給送方向へスライドさせると、リアガイド８４が記録用紙の後端に当接する。これにより、記録用紙の後端が揃えられるとともに、後端が記録用紙のサイズに応じた位置に規制される。
【００４９】
溝８０の両サイドには、溝８０の長手方向に沿って並べられた複数のスリット８６が形成されている。各スリット８６は、その長手方向が溝８０に直交する方向に一致するように形成されている。このスリット８６にリアガイド８４の爪（不図示）が挿入されることにより、リアガイド８４がメイントレイ６１に対して固定される。
【００５０】
セカンドトレイ６２は、図４から図６に示されるように、メイントレイ６１の上部に配設されている。このセカンドトレイ６２は、主として、厚手でかつ小さいサイズの記録用紙を収容する用途として用いられるトレイである。本実施形態では、はがきや封筒、写真用Ｌ版光沢紙などを積層した状態で収容可能に構成されている。このセカンドトレイ６２は、メイントレイ６１に対して給送方向（矢印５５の方向）へスライド可能に装着されている。
【００５１】
セカンドトレイ６２は、その幅がメイントレイ６１の幅とほぼ同じ寸法であり、給送方向の長さがメイントレイ６１に比べてやや短い寸法であって、平面視で矩形の薄皿状に形成されている。セカンドトレイ６２には、一対のサイドガイド９５，９６が設けられている。サイドガイド９５，９６で囲まれた領域に記録用紙が収容される。なお、サイドガイド９５，９６は、その形状やスライド範囲などがメイントレイ６１のサイドガイド７５，７６と相違する点を除き、サイドガイド７５，７６と略同様に構成されている。したがって、サイドガイド９５，９６については、後述するメイントレイ６１のサイドガイド７５，７６の説明を参照して、その詳細な説明を省略する。
【００５２】
セカンドトレイ６２は、図５に示されるように、摺動部９１と、回動部９３とを備える。摺動部９１は、メイントレイ６１の幅とほぼ同じ寸法を有する板状の部材であって、メイントレイ６１に対して給送方向へスライド可能に装着されている。この摺動部９１は、図６に示されるように、傾斜板６７に近接した第１位置と、図４に示されるように、傾斜板６７から離反した第２位置との間でスライドする。
【００５３】
回動部９３は、メイントレイ６１の幅とほぼ同じ寸法を有する板状の部材である。この回動部９３は、図５に示されるように、摺動部９１に対して矢印５６の方向へ回動可能に構成されている。この回動部９３の底板９８、つまり、セカンドトレイ６２の底板９８に、サイドガイド９５，９６が設けられている。
【００５４】
セカンドトレイ６２が上記第１位置（図６参照）に位置決めされた状態で用紙カセット７がプリント部２に装着されると、メイントレイ６１の先端６５がスイングアーム２７に当接して、駆動軸２９を中心に該スイングアーム２７を上方へ揺動させる。これにより、給紙ローラ２５が持ち上げられて、セカンドトレイ６２の底板９８に配置される。このとき、給紙ローラ２５は、セカンドトレイ６２に収容された記録用紙に当接する。これにより、セカンドトレイ６２上の記録用紙が給送方向へ給送可能となる。
【００５５】
また、セカンドトレイ６２が上記第２位置（図４参照）に位置決めされた状態で用紙カセット７がプリント部２に装着されると、上述の如く持ち上げられた給紙ローラ２５は、セカンドトレイ６２の先端とメイントレイ６１の先端６５との間隙に入り込み、メイントレイ６１の上面に配置される。このとき、給紙ローラ２５は、メイントレイ６１に収容された記録用紙に当接する。これにより、メイントレイ６１上の記録用紙が給送方向へ給送可能となる。
【００５６】
次に、サイドガイド７５，７６について説明する。図１２は、サイドガイド７５及びそのスライド機構の構成を示す部分斜視図である。図１３は、図１０において二点鎖線で囲まれた要部XIIIの拡大図である。図１４は、図１１において二点鎖線で囲まれた要部XIVの拡大図である。
【００５７】
メイントレイ６１を給紙方向上流側から見て右側にサイドガイド７５が配置され、左側にサイドガイド７６が配置されている。
【００５８】
図１２に示されるように、一方のサイドガイド７５は、略Ｌ字状に形成されたＡＢＳ樹脂などの合成樹脂製のＬ字部材１００を有する。Ｌ字部材１００は、給送方向（矢印５５の方向）へ長い形状に形成されている。Ｌ字部材１００は、メイントレイ６１の底板６４に平行で、記録用紙が載置される底壁１０２と、底壁１０２の幅方向外側の端縁から垂直に立設された垂直壁１０４とを備えている。垂直壁１０４の内側面１０６が記録用紙の幅方向端部と接触する面である。
【００５９】
図９及び図１２に示されるように、垂直壁１０４には、レバー１０８が設けられている。レバー１０８は、サイドガイド７５と一体に形成されており、サイドガイド７５と同じ樹脂で構成されている。レバー１０８は、底壁１０２と垂直壁１０４とのコーナーから幅方向外側へ突出された基部１０９と、該基部１０９の端縁から垂直上方へ屈曲された垂直部１１０とからなる。基部１０９の底板６４側の面には２つの爪（不図示）が設けられており、これらの爪が上述したスリット１２７に挿入されることで、底板６４に対してサイドガイド７５が固定される。垂直部１１０を幅方向内側へ押し付けることにより、垂直部１１０及び基部１０９が弾性変形して、基部１０９が底板６４に対して持ち上げられる。これにより、上記爪がスリット１２７から抜き出されて、サイドガイド７５の固定が解除される。
【００６０】
底壁１０２の底板６４側に摺動部１１３が設けられている。摺動部１１３は、底板６４に形成されたガイド溝１２５に対応する箇所に設けられている。この摺動部１１３は、ガイド溝１２５に挿入可能に構成されている。具体的には、摺動部１１３は、底壁１０２から底板６４側へ突出しており、ガイド溝１２５の形状に応じた略直方体形状に形成されている。また、ガイド溝１２５に対する摺動抵抗を小さくするために、摺動部１１３の給送方向の幅は、ガイド溝１２５の給送方向の幅よりも小さく形成されている。したがって、ガイド溝１２５に摺動部１１３が挿入された状態では、摺動部１１３とガイド溝１２５との間に隙間が生じる。
【００６１】
図１２から図１４に示されるように、摺動部１１３には、給紙方向へ突出した３つの突起１１５〜１１７が設けられている。３つの突起１１５〜１１７のうち、摺動部１１３の給紙方向上流側の側面１１８（図１２参照）に２つの突起１１６，１１７が設けられ、給紙方向下流側の側面（不図示）に１つの突起１１５が設けられている。更に突起１１６，１１７は、幅方向の外側と内側とに間隔を空けて設けられており、突起１１５は、摺動部１１３の幅方向外側の端部に設けられている。
【００６２】
図１３及び図１４に示されるように、３つの突起１１５〜１１７が設けられた摺動部１１３がガイド溝１２５に挿入されることで、サイドガイド７５は、メイントレイ６１の底板６４においてスライド可能に支持される。このとき、突起１１５〜１１７がガイド溝１２５の裏面側の縁に係合する。これにより、底壁１０２と突起１１５〜１１７とによって、底板６４が遊びを持った状態で狭持される。このように摺動部１１３がガイド溝１２５に挿入されることで、サイドガイド７５の抜け外れを防止しつつ、サイドガイド７５をスライド可能に支持することが可能となる。なお、摺動部１１３、ガイド溝１２５、突起１１５〜１１７によって、本発明のスライド機構が具現化される。
【００６３】
サイドガイド７５にはラック部材１２０が設けられている。ラック部材１２０は、サイドガイド７５と同じように、ＡＢＳ樹脂などの合成樹脂で構成されている。ラック部材１２０は、底壁１０２の裏面、詳細には、摺動部１１３の幅方向内側の端部から幅方向中央へ向けて延出されている。ラック部材１２０は、摺動部１１３がガイド溝１２５に挿入される際に、ガイド溝１２５を介して底板６４の裏面側に配置される（図１３参照）。
【００６４】
底板６４の裏面には、ラック部材１２０の給紙方向上流側の側面に対向する位置にスライドガイド１３０が設けられている。このスライドガイド１３０は、図１３に示されるように、底板６４の裏面から垂直に立設され、メイントレイ６１の幅方向に長い細幅の板部材からなる。スライドガイド１３０が設けられているため、サイドガイド７５のスライドに伴ってラック部材１２０が幅方向へ移動した際に、ラック部材１２０は、スライドガイド１３０の給送方向下流側の側面１３４に摺接する。これにより、ラック部材１２０がメイントレイ６１の幅方向（第２方向）へ案内される。つまり、側面１３４が、ラック部材１２０の幅方向へのガイド面の役割を担っている。
【００６５】
スライドガイド１３０には、ストッパー１３２が設けられている。ストッパー１３２は、スライドガイド１３０の側面１３４からラック部材１２０の移動領域に突出している。ストッパー１３２は、ラック部材１２０の移動範囲、換言すれば、サイドガイド７５の幅方向内側へのスライド範囲を規制するためのものである。サイドガイド７５が内側へスライドされた際に、ラック部材１２０の先端がストッパー１３２に当接することによって、ラック部材１２０及びサイドガイド７５のそれ以上の移動が規制される。本実施形態では、ストッパー１３２は、Ｌ版サイズの短手方向の幅（約８９ｍｍ）に対応する位置に設けられている。
【００６６】
ラック部材１２０には、ラック１２１が形成されている。ラック１２１は、ラック部材１２０におけるピニオン１２８側の側面、換言すれば、給送方向下流側の側面１２４（図１２参照）に設けられている。なお、図１２では、ラック１２１が省略されている。ラック１２１及びピニオン１２８は、それぞれの歯が円滑に噛み合い、ラックの直線運動がピニオン１２８の回転運動に円滑に変換可能な位置関係に配置されている。
【００６７】
サイドガイド７６は、サイドガイド７５と略対称の形状に形成されており、サイドガイド７５と略同様に、底壁１０３及び垂直壁１０５を有するＬ字部材１０１と、摺動部１１４とを有する。摺動部１１４には、摺動部１１３の３つの突起１１５〜１１７に対応する位置に、同様の突起１４１〜１４３が設けられている。また、サイドガイド７６には、上記ラック部材１２１と略同様に構成されたラック部材１２２が設けられている。ラック部材１２２にもラック１２３が形成されている。ラック１２３は、ラック部材１２２におけるピニオン１２８側の側面、換言すれば、給送方向上流側の側面（不図示）に設けられている。なお、サイドガイド７６及びラック部材１２１の主な構成についてはサイドガイド７５及びラック１２０と共通するため、ここでの詳細な説明は省略する。
【００６８】
また、底板６４の裏面には、ラック部材１２３の給送方向下流側の側面に対向する位置に、スライドガイド１３０と略同様に構成されたスライドガイド１３１が設けられている。このスライドガイド１３１は、図１３に示されるように、底板６４の裏面から垂直に立設され、メイントレイ６１の幅方向に長い細幅の板部材からなる。スライドガイド１３１が設けられているため、サイドガイド７６のスライドに伴ってラック部材１２２が幅方向へ移動した際に、ラック部材１２２はスライドガイド１３１の給送方向上流側の側面１３５に摺接する。これにより、ラック部材１２２がメイントレイ６１の幅方向（第２方向）へ案内される。側面１３５が、ラック部材１２２の幅方向へのガイド面の役割を担っている。
【００６９】
上述したメイントレイ６１においては、前述したように、サイドガイド７５，７６の円滑なスライドを実現するため、或いは、メイントレイ６１に対するサイドガイド７５，７６の組み付けを容易にするために、摺動部１１３，１１４とガイド溝１２５，１２６との間に所定の隙間が設けられている。また、上述の位置関係に配置されたラック１２１，１２３とピニオン１２８との間には、円滑動作を可能とするためにある程度の隙間が設けられている。これらの隙間は、摺動部１１３，１１４及びラック１２１，１２３をガタつかせ、ひいては、サイドガイド７５，７６をガタつかせる。具体的には、上記隙間によって、摺動部１１３を中心としてサイドガイド７５、７６を回転させる方向にガタつかせることになる。
【００７０】
上述したサイドガイド７５，７６のガタつきによってサイドガイド７５，７６が記録用紙の給送方向に対して傾くと、記録用紙が給送方向に対して斜行する。本実施形態では、記録用紙が傾いたまま給送されたとしても、上述のレジスト動作によって記録用紙の斜行が改善されるが、その際に、記録用紙の幅方向の中央位置が基準位置からずれるため、記録用紙に対して記録される画像が幅方向にずれる問題が生じ得る。特に、サイドガイド７５，７６とピニオン１２８との間隔が小さくなると、ピニオン１２８を中心とするサイドガイド７５，７６の回転角が大きくなり、サイドガイド７５，７６のガタつきが大きくなるため、上記した画像ズレの問題は、画像品質上無視できない。
【００７１】
一方、上記隙間を限りなく小さくして摺動部１１３，１１４及びピニオン１２８のガタつきを限りなくゼロに近づけるように各部材を形成すれば、サイドガイド７５，７６ガタつきは抑えられる。しかしながら、サイドガイド７５の摺動抵抗、噛合時の抵抗が大きくなり、サイドガイド７５，７６の操作性が著しく悪くなる。
【００７２】
そこで、本実施形態では、図１３及び図１４に示されるように、サイドガイド７６とスライドガイド１３１との間にガイド片１３６（本発明の付勢部材の一例）が設けられている。詳細には、当該ガイド片１３６は、サイドガイド７６に対応するスライドガイド１３１の側面１３５に設けられている。このガイド片１３６は、ストッパー１３３の近傍であって、ストッパー１３３よりもピニオン１２８側に設けられている。ガイド片１３６は、側面１３５から給送方向上流側へ突出している。ガイド片１３６の突出量は、サイドガイド７６のガタつきの度合いに応じて適宜のサイズに設定される。
【００７３】
本実施形態では、ガイド片１３６には所定の勾配のスロープ１３８（本発明の傾斜面に相当）が設けられている。スロープ１３８は、ガイド片１３６の突出方向の頂部１３７からピニオン１２８側の側面１３４に渡って設けられている。
【００７４】
以下、図１５を参照しながら、ラック部材１２２の動きと共に、上記ガイド片１３６が設けられたことによる作用効果について説明する。ここに、図１５は、ラック部材１２２の状態変化を示す模式図であり、メイントレイ６１の裏面側から見た状態が示されている。なお、図１５では、他方のラック部材１２０、ガイド溝１２５及びスライドガイド１３０が省略されている。また、図１５において紙面上側が給紙方向下流側である。
【００７５】
図１５（Ａ）は、サイドガイド７６がピニオン１２８から最も離反した第１位置に配置された状態が示されている。なお、本実施形態では、上記第１位置は、Ａ４サイズの記録用紙がメイントレイ６１に載置された場合に、該記録用紙の幅方向端部に対応する位置である。サイドガイド７６が、上記第１位置からピニオン１２８側へスライドされ、ピニオン１２８に最も接近した第２位置付近まで近づけられると、ラック部材１２２の先端１４５がスロープ１３８に当接する（図１５（Ｂ））。なお、本実施形態では、上記第２位置は、給紙機構３３で給送可能な最小サイズ（例えば、Ｌ版サイズ）に対応する位置である。
【００７６】
その後、更にサイドガイド７６がスライドされると、先端１４５がスロープ１３８に沿ってガイド片１３６の頂部１３７まで案内される。そして、先端１４５がストッパー１３３に当接することによって、サイドガイド７６が上記第２位置に配置される（図１５（Ｃ））。このとき、先端１４５は、ガイド片１３６によって、給送方向上流側へ付勢されている。
【００７７】
先端１４５が給送方向上流側へ付勢されることによって、ラック１２３がピニオン１２８に押し付けられる。そのため、ラック１２３及びピニオン１２８間のガタが無くなる。このとき、ラック部材１２２の材質にもよるが、例えば可撓性を有する樹脂でラック部材１２２が構成されている場合は、ラック部材１２２が給送方向上流側へ撓まされる。このようにラック部材１２２が撓むため、仮に、サイドガイド７６のガタつきに対してガイド片１３６の突出量が大きくても、ラック部材１２２が折損することはない。なお、ラック１２３がピニオン１２８に押し付けられることによって、ラック１２３及びピニオン１２８の噛合時の抵抗が増す。
【００７８】
また、先端１４５が給送方向上流側へ付勢されることによって、先端１４５とは反対側の摺動部１１４が、ラック１２３とピニオン１２８との噛合点を支点として、図１５において反時計回転方向へ回転する力を受ける。これにより、摺動部１１４が給送方向下流側（図１５の紙面上側）へ付勢されて、ガイド溝１２６の縁に押し付けられる。そのため、ガイド溝１２６における摺動部１１４のガタが無くなる。このとき、サイドガイド７６は、給送方向先端側が幅方向中央に傾けられる。なお、摺動部１１４がガイド溝１２６の縁に押し付けられることによって、摺動部１１４とガイド溝１２６との摺動抵抗が増す。
【００７９】
このように、スライドガイド１３１にガイド片１３６が設けられているため、サイドガイド７６が上記第２位置に配置されることによって、先端１４５が給送方向上流側へ付勢され、摺動部１１４がガイド溝１２６の縁に押し付けられる。そのため、ラック１２３及びピニオン１２８間の隙間や、摺動部１１４及びガイド溝１２６間の隙間の有無に関係なく、ラック部材１２２及び摺動部１１４のガタが無くなる。これにより、サイドガイド７６のガタつきも無くなる。この状態で、記録用紙が給送されると、サイドガイド７６によって記録用紙の幅方向の端部が確実に支持されるため、記録用紙の斜行が抑えられる。その結果、記録用紙に対する記録画像のズレが防止される。
【００８０】
なお、サイドガイド７６が上記第２位置の手前にスライドされるまで、つまり、先端１４５がガイド片１３６に当接するまでは、サイドガイド７６の円滑なスライドが確保される。その一方で、先端１４５がガイド片１３６に当接してからは、スライド動作が鈍くなり、操作者に多少なりとも抵抗感を与えることになる。しかしながら、この現象は、スライド動作がストッパー１３３によって止められる直前で起こるものであるため、サイドガイド７６の操作性を悪化させるほどに影響を与えるものではない。
【００８１】
また、本実施形態では、先端１４５が給送方向上流側へ付勢され、摺動部１１４が給送方向下流側へ付勢されるため、サイドガイド７６の給送方向先端が給送方向後端よりも幅方向内側へ傾く。そのため、記録用紙が用紙搬送路２３に完全に進入するまで、記録用紙の幅方向端部を緩みなく規制すると共に、給送方向へ斜行させることなく確実に案内することが可能となる。
【００８２】
また、本実施形態では、ガイド片１３６にスロープ１３８が設けられているため、先端１４５をガイド片１３６の頂部１３７まで容易に案内することができる。また、ガイド片１３６に当接してから頂部１３７に至るまで、サイドガイド７６をスムーズにスライドさせることが可能となる。なお、ガイド片１３６のスロープ１３８は、例えば、図１６に示されるように、ラック部材１２２の先端１４５の移動範囲全域に渡って緩やかに傾斜していてもよい。スロープ１３８の勾配が緩やかになるほど、サイドガイド７６の移動が円滑になる。
【００８３】
なお、本実施形態では、ガイド片１３６をストッパー１３３の近傍に配設することとしたが、必ずしも上記位置に限定されることはない。少なくとも上記第１位置よりもピニオン１２８側の所定位置にガイド片１３６を設ければ足りる。また、本実施形態では、上記第２位置は、給紙機構３３で給送可能な最小サイズ（例えば、Ｌ版サイズ）に対応する位置であったが、所定のサイズ以下の用紙全てに対応するようにガイド片１３６を構成してもよい。
【００８４】
また、ガイド片１３６でラック部材１２２を付勢する機構をセカンドトレイ６２のサイドガイド９５，９６をスライドさせる機構に適用してもかまわない。また、原稿（本発明のシート部材の一例）を載置するための原稿トレイと、原稿トレイから画像読取位置へ原稿を搬送するＡＤＦ（Auto Document Feeder）とが設けられた複合機においては、原稿トレイに上述のサイドガイド７５，７６と同様に構成された一対のサイドガイドが設けられているが、このサイドガイドにガイド片１３６でラック部材１２２を付勢する機構を適用してもよい。
【００８５】
（変形例１）
以下、図１７を参照して、本発明の変形例１について説明する。ここに、図１７は、本発明の変形例１におけるラック部材１２０及びラック部材１２２の状態変化を示す模式図であり、メイントレイ６１の裏面側から見た状態が示されている。なお、図１７では、上述の実施形態の構成要素と同じ構成要素に同符号が付されている。
【００８６】
上述の実施形態では、スライドガイド１３１にガイド片１３６を設けることとしたが、例えば、図１７に示されるように、ラック部材１２０を給送方向上流側へ付勢するべく、ラック１２１に対向する位置にスライドガイド１３０を設け、このスライドガイド１３０にガイド片１３６と略同様のガイド片１４８を設けてもよい。このように構成することで、第２位置にサイドガイド７５，７６がスライドされたときに、スライドガイド７５，７６双方のガタつきが無くなる。
【００８７】
また、サイドガイド７５，７６の双方の給送方向先端が給送方向後端よりも幅方向内側へ傾くため、サイドガイド７５，７６で囲まれた領域が給送方向下流側へ向けて先細り形状となる。そのため、記録用紙の後端が用紙搬送路２３に進入するまで記録用紙の幅方向端部をより確実に給送方向へ案内することができる。
【００８８】
（変形例２）
以下、図１８を参照して、本発明の変形例２について説明する。ここに、図１８は、本発明の変形例２におけるラック部材１２２の状態変化を示す模式図であり、メイントレイ６１の裏面側から見た状態が示されている。なお、図１８では、上述の実施形態の構成要素と同じ構成要素に同符号が付されている。
【００８９】
本変形例２では、スライドガイド１３１にガイド片１３６を設けるのみならず、先端１４５のスライドガイド１３１側の面に突出片１４７を設け、ガイド片１３６と突出片１４７との当接によって先端１４５を給送方向上流側へ付勢する構成としている。このような構成であっても、上述した実施形態及び変形例１と同様の作用効果が奏される。
【図面の簡単な説明】
【００９０】
【図１】図１は、本発明の画像記録装置の一例である複合機１の外観構成を示す斜視図である。
【図２】図２は、複合機１のプリント部２の内部構成を示す縦断面図である。
【図３】図３は、給紙装置６の構成を模式的に示す模式断面図である。
【図４】図４は、用紙カセット７の外観構成を示す斜視図である。
【図５】図５は、用紙カセット７の外観構成を示す斜視図である。
【図６】図６は、用紙カセット７の外観構成を示す斜視図である。
【図７】図７は、メイントレイ６１の平面図である。
【図８】図８は、メイントレイ６１の表面側の構成を示す斜視図であり、サイドガイド７５，７６の間隔が狭められた状態が示されている。
【図９】図９は、メイントレイ６１の表面側の構成を示す斜視図であり、サイドガイド７５，７６の間隔が広げられた状態が示されている。
【図１０】図１０は、メイントレイ６１の裏面側の構成を示す斜視図であり、サイドガイド７５，７６の間隔が狭められた状態が示されている。
【図１１】図１１は、メイントレイ６１の裏面側の構成を示す斜視図であり、サイドガイド７５，７６の間隔が広げられた状態が示されている。
【図１２】図１２は、サイドガイド７５及びそのスライド機構の構成を示す部分斜視図である。
【図１３】図１３は、図１０において二点鎖線で囲まれた要部XIIIの拡大図である。
【図１４】図１４は、図１１において二点鎖線で囲まれた要部XIVの拡大図である。
【図１５】図１５は、ラック部材１２２の状態変化を示す模式図である。
【図１６】図１６は、ラック部材１２２の状態変化を示す模式図である。
【図１７】図１７は、本発明の変形例１におけるラック部材１２０及びラック部材１２２の状態変化を示す模式図である。
【図１８】図１８は、本発明の変形例２におけるラック部材１２２の状態変化を示す模式図である。
【符号の説明】
【００９１】
１・・・複合機（画像記録装置）
６・・・給紙装置
７・・・用紙カセット
３３・・・給紙機構（給送機構）
１３・・・拡張トレイ
６１・・・メイントレイ
６２・・・セカンドトレイ
７５，７６・・・サイドガイド
８４・・・リアガイド
９５，９６・・・サイドガイド
１２０，１２２・・・ラック部材
１２１，１２３・・・ラック
１３０，１３１・・・スライドガイド
１３６・・・ガイド片（付勢部材）
【図１】
2008290852.tif 000003
【図２】
2008290852.tif 000004
【図３】
2008290852.tif 000005
【図４】
2008290852.tif 000006
【図５】
2008290852.tif 000007
【図６】
2008290852.tif 000008
【図７】
2008290852.tif 000009
【図８】
2008290852.tif 000010
【図９】
2008290852.tif 000011
【図１０】
2008290852.tif 000012
【図１１】
2008290852.tif 000013
【図１２】
2008290852.tif 000014
【図１３】
2008290852.tif 000015
【図１４】
2008290852.tif 000016
【図１５】
2008290852.tif 000017
【図１６】
2008290852.tif 000018
【図１７】
2008290852.tif 000019
【図１８】
2008290852.tif 000020